(57)【要約】【課題】  光ディスク装置を薄型化する。【解決手段】  光ディスク装置が、シャーシ２と、シャーシ２に取り付けられるモータ３と、モータ３の出力軸３ａに取り付けられる光ディスク１と、光ディスク１を走査可能にシャーシ２に取り付けられる光学ヘッド４とを備える。光ディスク本体１ａの外周端面に永久磁石１ｂが取り付けられ、この永久磁石１ｂをモータ３のロータとして光ディスク１と同一平面内で永久磁石１ｂに対向するように、モータ３のステータ３ｂがシャーシ２に取り付けられる。光ディスク１の上面又は下面からモータ３の機械部分、配線等が排除されることとなり、モータ３ひいては光ディスク装置全体が薄型化される。【選択図】  図１
2005276297.tif 000002
【特許請求の範囲】
【請求項１】
光ディスク本体の外周端面又は中心開口端面に永久磁石が取り付けられたことを特徴とする光ディスク。
【請求項２】
請求項１に記載の光ディスクにおいて、永久磁石が光ディスク本体の厚さの範囲内に収まるように形成されたことを特徴とする光ディスク。
【請求項３】
シャーシと、シャーシに取り付けられるモータと、モータの出力軸に取り付けられる光ディスクと、光ディスクを走査可能にシャーシに取り付けられる光学ヘッドとを備えた光ディスク装置において、光ディスク本体の外周端面又は中心開口端面に永久磁石が取り付けられ、この永久磁石を上記モータのロータとして光ディスクと同一平面内で永久磁石に対向するように、上記モータのステータがシャーシに取り付けられたことを特徴とする光ディスク装置。
【発明の詳細な説明】
【技術分野】
【０００１】
本願は、ＣＤ、ＤＶＤ等の光ディスク及び光ディスク装置に関する。
【背景技術】
【０００２】
光ディスク装置は、携帯用パソコン、電子手帳、ファクシミリ等に搭載されることが考えられている。そのような光ディスク装置は光ディスクと共に薄型化を図ることが重要である。
【０００３】
従来、光ディスクを薄くするために、光ディスクの中心部に光ディスクの厚さ範囲内に収まるような厚さで磁性材製のハブを取り付ける光ディスクの構造が提案されている。また、光ディスクを回転させるモータのロータヨークとして光ディスクの上記ハブを利用することで、モータからロータヨークを省略し、これにより光ディスク装置を薄くすることが提案されている（例えば、特許文献１参照。）。
【０００４】
【特許文献１】特開平７−２１７２１号公報
【発明の開示】
【発明が解決しようとする課題】
【０００５】
しかしながら、上記従来の光ディスク及び光ディスク装置によれば、光ディスクの上部又は下部にモータの一部が配置されるため、それ以上の薄型化は困難である。本願は、光ディスク装置を更に薄型化することを課題の一例とする。
【課題を解決するための手段】
【０００６】
上記課題を解決するため、請求項１に係る発明は、光ディスク本体の外周端面又は中心開口端面に永久磁石が取り付けられた光ディスクであることを特徴とする。
【０００７】
また、請求項３に係る発明は、シャーシと、シャーシに取り付けられるモータと、モータの出力軸に取り付けられる光ディスクと、光ディスクを走査可能にシャーシに取り付けられる光学ヘッドとを備えた光ディスク装置において、光ディスク本体の外周端面又は中心開口端面に永久磁石が取り付けられ、この永久磁石を上記モータのロータとして光ディスクと同一平面内で永久磁石に対向するように、上記モータのステータがシャーシに取り付けられたことを特徴とする。
【発明を実施するための最良の形態】
【０００８】
以下、図面を参照して本願を実施するための最良の形態について説明する。
【０００９】
図１及び図２に示すように、光ディスク１は、その光デイスク本体１ａの外周に永久磁石１ｂを有する。永久磁石１ｂは光ディスク本体１ａの外周端面にＮ，Ｓ，Ｎ，Ｓの順に一定間隔で固着される。永久磁石１ｂは、光ディスク本体１ａの厚さの範囲内に収まるように、かつディスク本体１ａの外周の円弧に沿って湾曲するように形成される。光ディスク１は例えば直径４５ｍｍの大きさに形成される。
【００１０】
永久磁石１ｂは磁石そのものをディスク本体１ａに取り付けてもよいが、ＮｄＦｅ等の磁性材層をスパッタリング、蒸着等によりディスク本体１ａの周縁の表面に形成し、この磁性材層に対し着磁するようにしてもよい。
【００１１】
上記光ディスク１は、次に説明する光ディスク装置により所定の情報を記録され又は情報の再生に供される。
【００１２】
図１及び図２に示すように、光ディスク装置は、シャーシ２と、シャーシ２に取り付けられるモータ３と、モータ３の出力軸３ａに取り付けられる光ディスク１と、光ディスク１を走査可能にシャーシ２に取り付けられる光学ヘッド４とを備える。
【００１３】
シャーシ２は、例えばＰＣカードサイズの剛性のある筐体として形成される。筐体としての最大厚さは例えば５ｍｍである。
【００１４】
光学ヘッド４は筐体内に設置されたリニアモータ（図示せず）により光ディスク１を半径方向に走査するようになっている。
【００１５】
モータ３は、ブラシレスＤＣモータであり、上記シャーシ２である筐体内に収納される。
【００１６】
筐体内においてモータ３の出力軸３ａであるスピンドルは筐体の厚さ方向に沿って伸びる。スピンドルはボールベアリング等の軸受（図示せず）により筐体に回転自在に支持される。スピンドルの一端には上記光ディスク１が筐体内に収納された状態でその中心孔を介し固定される。光ディスク１はスピンドルに対し着脱不能に固定してもよいし、着脱自在に取り付けてもよい。この光ディスク１における光ディスク本体１ａの外周端面に取り付けられた永久磁石１ｂがこのモータ３のロータとして機能する。
【００１７】
このモータ３のステータ３ｂは、筐体内に収納された光ディスク１と同一平面内で光ディスク１の永久磁石１ｂに対向するように、筐体内に取り付けられる。
【００１８】
図２（Ａ）に示すように、ステータ３ｂは光ディスク１の上記永久磁石１ｂに対向するヨーク５を有し、各ヨーク５にはモータ巻線Ｕ，Ｖ，Ｗが巻回される。同図（Ｂ）に示すように、モータ巻線Ｕ，Ｖ，Ｗは対向しあうもの同士が対となって同時に通電される。また、ホール素子６は、ヨーク５の間に３個、１２０°間隔で取り付けられ、同図（Ｃ）に示すように、各ホール素子６から出力１，２，３が出るようになっている。
【００１９】
このように、光ディスク本体１ａの外周端面に永久磁石１ｂが取り付けられ、この永久磁石１ｂをモータ３のロータとして光ディスク１と同一平面内で永久磁石１ｂに対向するように、モータ３のステータ３ｂがシャーシ２である筐体に取り付けられたことから、光ディスク１の上面又は下面からモータ３の機械部分、配線等が排除されることとなり、モータ３ひいては光ディスク装置全体が薄型化される。また、光ディスク１の永久磁石１ｂが光ディスク本体１ａの厚さの範囲内に収まるように形成されていることも相俟って光ディスク装置が薄型化される。
【００２０】
図１に示すように、シャーシ２である筐体内には上記光学ヘッド４の駆動制御部とモータの駆動制御部とが制御部７としてまとめて収納され、筐体からはＰＣインターフェース部８が突出している。
【００２１】
モータ３の駆動制御回路は、図３に示すように、パワー回路９と、ロジック回路１０と、スタート／ストップブレーキ指令部１１と、電流制御回路１２と、設定比較回路１３と、速度設定部１４と、電源回路１５とを具備する。通常の場合、駆動制御回路は電源回路１５を除きモータ３と共に筐体内に収納される。なお、必要に応じて電源回路１５も筐体内に収納される。
【００２２】
パワー回路９は、モータ３の巻線Ｕ，Ｖ，Ｗに流れる電流を制御するもので、図２（Ｂ）に示すように、六個のトランジスタにより一定順序でＯＮ・ＯＦＦを繰り返し、モータ３の巻線Ｕ，Ｖ，Ｗに電流を流すようになっている。六個のトランジスタがインバータを構成し、上下のトランジスタが交互にＯＮ・ＯＦＦを一定順序で繰り返して巻線Ｕ，Ｖ，Ｗに流す電流の向きを変えるようになっている。これにより、永久磁石１ｂと共にディスク本体１ａが回転する。
【００２３】
電流制御回路１２は、モータ３に流れる電流を常時検出し、スピンドルの回転速度が速度設定部１４により設定された回転速度からずれないように制御するようになっている。
【００２４】
ロジック回路１０は、ホール素子６よりフィードバック信号を受け、ディスク本体１ａの永久磁石１ｂの位置検出を行い、モータ巻線Ｕ，Ｖ，Ｗの励磁順序を決定する。ロジック回路１０からの信号はパワー回路９の各トランジスタのベースに入力され、トランジスタは一定順序で駆動される。また、ロジック回路１０によりスピンドルの回転速度が検出される。また、スタート／ストップブレーキ指令部１１からの指令によりモータ３に対しスタート／ストップ、ブレーキ／ラン、正転／反転の制御を行う。
【００２５】
設定比較回路１３は、速度設定部１４で設定したスピンドルの速度とロジック回路１０が検出したスピンドルの速度とを比較し、スピンドルの回転速度が設定された回転速度より高いか低いかを検出し、スピンドルの回転速度が設定よりも高ければモータ３への入力を下げ、低ければモータ３への入力を上げて設定回転速度に戻すようになっている。
【００２６】
電源回路１５は、商用電源からモータ３と各制御回路を駆動するために必要な電圧を得るようになっている。
【００２７】
次に、上記構成の光ディスク及び光ディスク装置の作用について説明する。
【００２８】
スタート／ストップブレーキ指令部１１からの指令により、パワー回路９からモータ３の巻線Ｕ，Ｖ，Ｗに電流が供給され、スピンドルが回転し、スピンドルと一体で光ディスク１が回転する。このスピンドルの回転数は速度設定部１４で設定された回転数に制御される。
【００２９】
一方、光学ヘッド４の駆動制御部により光学ヘッド４が筐体内を移動し、回転する光ディスク１をその半径方向に走査する。
【００３０】
光ディスク本体１ａの外周端面に永久磁石１ｂが取り付けられ、この永久磁石１ｂをモータ３のロータとして光ディスク１と同一平面内で永久磁石１ｂに対向するように、モータ３のステータ３ｂがシャーシ２である筐体に取り付けられたことから、光ディスク１の上面又は下面からモータ３の機械部分、配線等が排除されることとなり、光学ヘッド４は、光ディスク１の最内周まで移動可能である。従って、光ディスク１の容量を最内周まで増大することができ、また、光ディスク１の記録面を最内周まで無駄にすることなく使用することができる。
【００３１】
光ディスク１の記録又は再生が終了すると、スタート／ストップブレーキ指令部１１の操作により、ロジック回路１０により制御されつつパワー回路９からモータ３の巻線Ｕ，Ｖ，Ｗに逆向きに電流が供給される。これにより、スピンドルに制動力が作用し、スピンドル及び光ディスク１が停止する。
【００３２】
なお、本発明は上記実施の形態に限定されるものではなく、例えば永久磁石は、ディスク本体の中心開口端面に取り付けるようにしてもよい。また、永久磁石の個数は四個に限らず、それよりも少なくてもよいし多くてもよく、モータ巻線についても同様である。また、ディスク装置はＰＣカードに限らず他の装置として構成することも可能である。
【図面の簡単な説明】
【００３３】
【図１】本願の実施の形態に係る光ディスク装置を光ディスクと共に示す垂直断面図である。
【図２】（Ａ）は図１中光ディスク装置の要部を光ディスクと共に示す平面図、（Ｂ）はモータを駆動するためのロジック回路図、（Ｃ）はモータのステータ側の巻線を示す説明図である。
【図３】図１に示す光ディスク装置のブロック線図である。
【符号の説明】
【００３４】
１…光ディスク
１ａ…光ディスク本体
１ｂ…永久磁石
２…シャーシ
３…モータ
３ａ…出力軸
３ｂ…ステータ
４…光学ヘッド
【図１】
2005276297.tif 000003
【図２】
2005276297.tif 000004
【図３】
2005276297.tif 000005